【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
プロセッサーによって実行されるとき、発信側エンティティによって作動可能な発信側通信装置と受信側エンティティによって作動可能な受信側通信装置との間でデジタルコンテンツを流通するための方法を実行する計算機実行可能命令を有する符号化された計算機可読媒体であって、前記デジタルコンテンツが、所定の知的財産所有権によって保護されており、前記方法が、
デジタルコンテンツ品目を識別するステップであって、前記デジタルコンテンツ品目が、前記発信側通信装置によってアクセス可能な計算機可読媒体にストアされるものと、
前記発信側通信装置と前記受信側通信装置とが近傍に存在することを決定するステップと、
前記発信側通信装置及び前記受信側通信装置が、近傍に存在することが決定された場合、前記発信側通信装置によってアクセス可能な前記計算機可読媒体から前記受信側通信装置に関する計算機可読媒体にピアツーピア通信セッションを介しデジタルコンテンツ品目流通の準備をするステップと、
前記受信側通信装置へのデジタルライセンス流通の準備をするステップであって、前記デジタルライセンスが、前記所定の知的財産所有権下で前記受信側エンティティに権利を付与するように作動可能なものと、前記受信側通信装置による前記デジタルライセンスの受信が、電子商取引イベントを起動することを特徴とする計算機可読媒体。
【請求項２】
前記電子商取引イベントが、前記受信側通信装置を介し前記受信側エンティティに対価の供給をするための承認準備をするステップと、前記発信側通信装置を介し前記発信側エンティティに対価の受信準備をするステップのうち１つを含んでいて、前記対価が、買戻し可能な品目交換、支払約束及びサービス実行約束を含むグループから選択されることを特徴とする請求項１記載の計算機可読媒体。
【請求項３】
前記受信側エンティティに付与される前記権利が、所定の商習慣を実行するように構成され、前記権利が、前記デジタルコンテンツ品目をレンダリングする権利、前記デジタルコンテンツ品目を複製する権利及び前記デジタルコンテンツ品目を流通する権利を含むグループから選択されることを特徴とする請求項１記載の計算機可読媒体。
【請求項４】
デジタルコンテンツ品目を識別する前記方法のステップが、複数の選択オプションの中から少なくとも１つの選択オプションを特定するステップであって、前記デジタルコンテンツ品目が、前記少なくとも１つの選択オプションを介し特定されるものを含むことを特徴とする請求項１記載の計算機可読媒体。
【請求項５】
前記方法が更に、
前記受信側エンティティ及び前記受信側通信装置の１つに関するアイデンティティを確認するステップであって、前記複数の選択オプションが、前記確認されたアイデンティティに基づくことを特徴とする請求項４記載の計算機可読媒体。
【請求項６】
前記受信側エンティティ及び前記受信側通信装置のうち１つに関するアイデンティティを確認する前記方法のステップが、
複数のアイデンティティの中から少なくとも１つのアイデンティティを選択するステップと、
前記発信側通信装置に前記選択されたアイデンティティを提示するステップと、を含むことを特徴とする請求項５記載の計算機可読媒体。
【請求項７】
前記デジタルコンテンツ品目を識別する前記方法のステップが、
前記提示されたアイデンティティに基づく前記複数の選択オプションを受信するステップと、
前記複数の選択オプションの前記少なくとも１つに対するアクセスをリクエストするステップと、を含むことを特徴とする請求項６記載の計算機可読媒体。
【請求項８】
前記受信側エンティティ及び受信側通信装置のうち１つに関するアイデンティティを確認する前記方法のステップが、前記受信側通信装置から提示されるアイデンティティを受信するステップを含むことを特徴とする請求項５記載の計算機可読媒体。
【請求項９】
前記デジタルコンテンツ品目を識別する前記方法のステップが、
前記提示されるアイデンティティに基づく前記複数の選択オプションを発行するステップと、
前記発行された複数の選択オプションの前記少なくとも１つに対するアクセスに関するリクエストを前記受信側通信装置から受信するステップと、
前記リクエストに基づいて前記デジタルコンテンツ品目を特定するステップと、を含むことを特徴とする請求項８記載の計算機可読媒体。
【請求項１０】
デジタルライセンス流通の準備をする前記方法のステップが、前記特定されたデジタルコンテンツ品目流通の準備をする前記方法のステップの前及び後のうち１つに生ずることを特徴とする請求項１記載の計算機可読媒体。
【請求項１１】
デジタルライセンス流通の準備をする前記方法のステップが、
前記デジタルライセンスに関する参照場所を有する第１のメッセージを受信するステップと、前記参照場所に基づいて、前記デジタルライセンスをリクエストする第２のメッセージを送信するステップと、
前記第２のメッセージに応答し、前記デジタルライセンスを受信するステップと、
前記受信側通信装置によってアクセス可能な計算機可読メモリーに前記受信されたデジタルライセンスをストアするステップと、
前記デジタルライセンスに関するステータスを生成するステップであって、前記ステータスが、前記電子商取引イベントを起動するように使用可能なものと、を含むことを特徴とする請求項１記載の計算機可読媒体。
【請求項１２】
前記方法が更に、
前記第２のメッセージに応答し、トランザクション識別子を受信するステップと、
前記生成されたステータスに前記トランザクション識別子を含めるステップであって、前記トランザクション識別子が、前記電子商取引イベントを起動するように使用可能なものと、を含むことを特徴とする請求項１１記載の計算機可読媒体。
【請求項１３】
前記参照場所が、前記受信側エンティティに広域ネットワークサービス（複数）のプロバイダを介しアクセス可能であることを特徴とする請求項１１記載の計算機可読媒体。
【請求項１４】
デジタルコンテンツ品目を流通するための方法であって、前記デジタルコンテンツ品目が、所定の知的財産所有権によって保護され、発信側通信装置によってアクセス可能な計算機可読媒体にストアされるものが、
流通トランザクション通知を受信するステップであって、前記流通トランザクション通知が、前記発信側通信装置と、前記発信側携帯通信装置の近傍に存在することを決定された受信側通信装置との間のピアツーピア通信セッションを介する前記デジタルコンテンツ品目流通に関する情報を含むものと、
前記流通トランザクション通知に基づいて前記受信側通信装置へのデジタルライセンス流通の準備をするステップであって、前記デジタルライセンスが、前記所定の知的財産所有権の下で前記受信側通信装置を作動するように認証されたエンティティに権利を付与するために作動可能なものと、
前記デジタルライセンス流通に関する情報を収集するステップと、
前記収集された前記デジタルライセンス流通に関する情報に基づいて対価の振替の準備をするステップであって、前記対価の振替が、前記受信側通信装置を介しプロビジョニングのために認証された対価及び前記発信側通信装置を介し受信された対価のうち１つを含むものと、を含む方法。
【請求項１５】
前記受信側通信装置へのデジタルライセンス流通の準備をする前記ステップが、前記デジタルコンテンツ品目が前記発信側通信装置と前記受信側通信装置との間に流通される前及び後のうち１つに前記デジタルライセンスを流通するために、ネットワークベースサービスプロバイダの準備をするステップを含み、
前記ネットワークベースサービスプロバイダが、前記受信側通信装置に対するネットワークサービスプロバイダと、前記発信側通信装置に対するネットワークサービスプロバイダと、第三者ネットワークサービスプロバイダと、を含むグループから選択されることを特徴とする請求項１４記載の方法。
【請求項１６】
対価の振替の準備をする前記ステップが、前記対価の振替の準備をする複数の広域ネットワークサービスのプロバイダを含み、
前記複数の広域ネットワークサービスのプロバイダが、前記受信側通信装置に対する広域ネットワークサービスのプロバイダと、前記発信側通信装置に対する広域ネットワークサービスのプロバイダと、第三者広域ネットワークサービスプロバイダと、を含むグループから選択されること、を特徴とする請求項１４記載の方法。
【請求項１７】
前記デジタルコンテンツ品目流通に関する前記情報及び前記デジタルライセンス流通に関する前記情報が、前記デジタルコンテンツ品目に関する情報を識別することと、前記デジタルコンテンツ品目流通の数と、前記デジタルコンテンツ品目に関するトランスコードイベントと、前記発信側通信装置のアイデンティティと、前記発信側通信装置によって受信可能な対価オプションの識別と、前記発信側通信装置の場所と、前記デジタルコンテンツ品目の発信元と、前記発信側通信装置への広域ネットワークサービスプロバイダのアイデンティティと、前記受信側通信装置への広域ネットワークサービスプロバイダのアイデンティティと、前記受信側通信装置を作動するように認証された前記エンティティによって提示されるアイデンティティの要求と、前記受信側通信装置によって提供可能な対価オプションの識別と、前記所定の知的財産所有権の下で付与される前記権利に関する情報と、前記所定の知的財産所有権の下で付与される前記権利の実行に関する情報と、を含むグループから選択されることを特徴とする請求項１４記載の方法。
【請求項１８】
デジタルコンテンツ品目を流通するためのシステムであって、前記デジタルコンテンツ品目が、所定の知的財産所有権によって保護されるものが、
デジタルコンテンツ流通情報及びデジタルライセンス流通情報をストアするように構成される計算機可読媒体と、
発信側通信装置と、前記発信側携帯通信装置の最も近くに存在することを決定された受信側通信装置との間のピアツーピア通信セッションを介する前記デジタルコンテンツ品目の流通に関するデータを含む前記デジタルコンテンツ流通情報と、
前記受信側通信装置へのデジタルライセンス流通に関するデータを含む前記デジタルライセンス流通情報であって、前記デジタルライセンスが、前記所定の知的財産所有権の下で前記受信側通信装置を作動するように認証されたエンティティに権利を付与するために作動するものと、
前記デジタルコンテンツ流通情報を処理するように構成されるデジタルコンテンツの取得管理エンジンと、
前記受信側通信装置への前記デジタルライセンス流通情報を処理し、前記デジタルライセンス流通の準備をするように構成されるデジタル著作権管理エンジンと、
前記デジタルコンテンツの取得管理エンジン及び前記デジタルの権利管理エンジンに応答する対価管理エンジンであって、前記対価管理エンジンが、前記デジタルコンテンツ流通情報及び前記デジタルライセンス流通情報に基づいて対価の振替の準備をするように構成され、前記対価の振替が、前記受信側通信装置を介し提供される対価及び前記発信側通信装置を介し受信される対価のうち１つを含むものと、を含むシステム。
【請求項１９】
クライアント側の動作環境を含むことを特徴とする請求項１８記載のシステム。
【請求項２０】
サーバー側の動作環境を含むことを特徴とする請求項１８記載のシステム。